(57)【要約】【課題】床に沿って便器をスライドさせて排水管に差し込んで接続させ、この状態で便器を床に固定する便器設置構造において、床への便器の固定を堅固に行うことができる構造を提案すること。【解決手段】本発明の便器設置構造は、床１に沿って便器２を前後方向にスライドさせて、便器２の排水口２０を排水管３に差し込んで接続させ、この状態で便器２を床１に固定する便器設置構造である。本発明の便器設置構造は、床１に固定される固定ねじ４と、固定ねじ４が挿通される固定部材５とを備える。固定ねじ４は、床１から上方に突出させて設けられる。便器２は、固定ねじ４が挿通される挿通孔６と、挿通孔６の孔縁に形成される固定溝７とを有する。挿通孔６は、前後方向に長い長孔である。固定溝７は、固定部材５が嵌まり込む溝である。【選択図】図１
2014173390.tif 000002
【特許請求の範囲】
【請求項１】
床に沿って便器を前後方向にスライドさせて、前記便器の排水口を排水管に差し込んで接続させ、この状態で前記便器を前記床に固定する便器設置構造であって、
前記床に固定される固定ねじと、前記固定ねじが挿通される固定部材とを備え、
前記固定ねじは、前記床から上方に突出させて設けられ、
前記便器は、前記固定ねじが挿通される挿通孔と、前記挿通孔の孔縁に形成される固定溝とを有し、
前記挿通孔は、前後方向に長い長孔であり、
前記固定溝は、前記固定部材が嵌まり込む溝であることを特徴とする便器設置構造。
【請求項２】
前記固定ねじが挿通されるナットを更に備え、
前記固定部材は、前記ナットによって前記固定溝に対して押さえ付けられることを特徴とする請求項１に記載の便器設置構造。
【請求項３】
前記固定ねじが挿通されるワッシャを更に備え、
前記固定部材は、前記ワッシャに一体に設けられることを特徴とする請求項２に記載の便器設置構造。
【請求項４】
前記固定部材は、前記固定ねじが挿通されるナットであることを特徴とする請求項１に記載の便器設置構造。
【発明の詳細な説明】
【技術分野】
【０００１】
本発明は、床に沿って便器をスライドさせて排水管に差し込んで接続させ、この状態で便器を床に固定する便器設置構造に関するものである。
【背景技術】
【０００２】
特許文献１には、便器を後方に移動させ、便器の排水口を排水管の接続口に嵌合させ、この後、便器を床面にボルトで固定する便器の施工方法が開示されている。
【０００３】
特許文献１の便器は、底部にボルトが打ち込まれるフランジを備えている。
【先行技術文献】
【特許文献】
【０００４】
【特許文献１】特開平８−１３４９９２号公報
【発明の概要】
【発明が解決しようとする課題】
【０００５】
ところで、上述した特許文献１の便器では、フランジの真上に便器の外殻が位置しており、フランジの真上から電動ドライバー等の工具を用いてボルトを打ち込むことが難しい。
【０００６】
そのため、特許文献１の便器では、フランジの斜め上からボルトを打ち込むこととなる。これにより、特許文献１の便器では、ボルトを床面に対して斜めに打ち込むことになり、便器の床面への固定が不十分となるおそれがある。
【０００７】
そこで、上記事情を鑑みて、本発明では、床に沿って便器をスライドさせて排水管に差し込んで接続させ、この状態で便器を床に固定する便器設置構造において、床への便器の固定を堅固に行うことができる構造を提案することを課題とする。
【課題を解決するための手段】
【０００８】
上記課題を解決するために本発明の便器設置構造は、床に沿って便器を前後方向にスライドさせて、前記便器の排水口を排水管に差し込んで接続させ、この状態で前記便器を前記床に固定する便器設置構造であって、前記床に固定される固定ねじと、前記固定ねじが挿通される固定部材とを備え、前記固定ねじは、前記床から上方に突出させて設けられ、前記便器は、前記固定ねじが挿通される挿通孔と、前記挿通孔の孔縁に形成される固定溝とを有し、前記挿通孔は、前後方向に長い長孔であり、前記固定溝は、前記固定部材が嵌まり込む溝であることを特徴とする。
【０００９】
また、前記固定ねじが挿通されるナットを更に備え、前記固定部材は、前記ナットによって前記固定溝に対して押さえ付けられることが好ましい。
【００１０】
また、前記固定ねじが挿通されるワッシャを更に備え、前記固定部材は、前記ワッシャに一体に設けられることが好ましい。
【００１１】
また、前記固定部材は、前記固定ねじが挿通されるナットであることが好ましい。
【発明の効果】
【００１２】
本発明の便器設置構造では、床に固定ねじを固定した後で、この固定ねじが挿通孔を挿通するように便器を床に載置し、その後、挿通孔の長手方向に沿って便器をスライド移動させて、便器の排水口を排水管に差し込んで接続することができる。そして、この後、固定部材を固定ねじに取り付けて、固定ねじが挿通された固定部材を、挿通孔の孔縁に形成した固定溝に嵌め込むことで、挿通孔内の固定ねじの前後位置を固定して、便器を床に対して固定することができる。
【００１３】
以上のように、本発明の便器設置構造では、床に便器を載置する前に、床に固定ねじを固定することができるため、床に真上から固定ねじを打ち込むことができて、この真っ直ぐに打ち込まれた固定ねじを用いて便器を床に固定することができる。したがって、本発明の便器設置構造は、床に沿って便器をスライドさせて排水管に差し込んで接続させ、この状態で便器を床に固定する便器設置構造であって、床への便器の固定を堅固に行うことができる構造となっている。
【図面の簡単な説明】
【００１４】
【図１】（ａ）は本発明の第一実施形態の便器設置構造を示す斜視図であり、（ｂ）は（ａ）のＡ部分を拡大した斜視図である。
【図２】（ａ）は同上の便器設置構造の固定ねじを示す斜視図であり、（ｂ）は同上の便器設置構造の便器に形成された挿通孔を示す斜視図であり、（ｃ）は同上の便器設置構造の固定部材を示す斜視図である。
【図３】（ａ）〜（ｄ）は同上の便器設置構造の設置手順を示す斜視図である。
【図４】本発明の第二実施形態の便器設置構造の要部を示す斜視図である。
【図５】本発明の第三実施形態の便器設置構造の便器を示す斜視図である。
【発明を実施するための形態】
【００１５】
本発明を添付図面に示す実施形態に基づいて説明する。
【００１６】
図１に示す本発明の第一実施形態の便器設置構造は、床１に沿って便器２を前後方向にスライドさせて、便器２の排水口２０を排水管３に差し込んで接続させ、この状態で便器２を床１に固定する便器設置構造である。以下、図１の矢印で示す方向を後方とし、その逆方向を前方とし、床１に対して水平で且つ前後方向に対して直交する方向を左右方向として各構成の説明を行う。
【００１７】
本実施形態の便器設置構造は、図１（ａ）及び図１（ｂ）に示すように、トイレの床１と、便器２と、下水管に繋がる排水管３と、床１に固定される固定ねじ４と、固定ねじ４が挿通される固定部材５と、ワッシャ９と、ナット８とを備える。
【００１８】
排水管３は、上流端である接続口３０が前方に向けて開口し、下流端が下水管に繋がっている。本実施形態では、排水管３は、トイレの後側の壁から前方に向けて突出している。なお、排水管３は、トイレの床１から上方に突出した後で、前方に向かって折れ曲がった管であってもよい。
【００１９】
便器２は、後部に排水口２０を備える。排水口２０は、便器２の後部から後方に突出させて設けられており、後方に向けて開口している。排水口２０は、便器２を後方にスライドさせることで、排水管３の接続口３０に差し込まれて接続される。本実施形態では、排水口２０は、接続口３０の内側に嵌まり込んで接続される。なお、排水口２０は、接続口３０の外側に嵌まり込んで接続されるものであってもよい。
【００２０】
便器２は、図１（ｂ）に示すように、固定ねじ４が挿通される挿通孔６と、挿通孔６の孔縁に形成される固定溝７とを有する。便器２は、底部位のうち左後部と右後部にそれぞれ挿通孔６及び固定溝７を備える。
【００２１】
本実施形態では、便器２の支持フレーム２１に、挿通孔６及び固定溝７を備える。
【００２２】
便器２は、図１（ａ）に示すように、ボウルを備えた樹脂製の便器本体２２を、その内側に配される支持フレーム２１で支持するタイプの水洗便器である。
【００２３】
詳しくは、便器２は、ボウルを備える便器本体２２、支持フレーム２１、トラップケース（非図示）、便器付設装置（非図示）、付設装置カバー２３、側部カバー２４、後部カバー２５、便座（非図示）、及び便蓋２６とを備える。トラップケースは、その内側にモータにより後端が上下回動するトラップを備える。トラップケースは、後部に排水口２０を備える。便器付設装置は、ボウルに洗浄水を吐出する吐出ノズルや、上水道に接続されて吐出ノズルに給水を行う給水管や、吐出ノズルの吐水の制御を行う制御部や、局部洗浄用の温水洗浄装置、乾燥装置、及び脱臭装置等を備える。
【００２４】
便器本体２２は、外郭となる平断面略Ｃ字状のスカート２７と、この内側の上部に配置されるボウルと、スカート２７の内側のボウル上に配置されるリムとが溶着一体化されて構成される。便器本体２２は樹脂製である。ボウルの底部には、水溜め部と、後方のトラップケース内のトラップに連通接続される排出用筒部とを備える。
【００２５】
便器本体２２は、支持フレーム２１の前部にねじ等により固定されて、支持フレーム２１に支持される。便器付設装置は、支持フレーム２１の後部上に螺子等により固定されて、支持フレーム２１に支持される。トラップケースは、便器付設装置の下方に配置される。便器付設装置と支持フレーム２１とトラップケースとは、後部カバー２５と側部カバー２４と付設装置カバー２３と便器本体２２とによって外部に対して隠蔽される。
【００２６】
支持フレーム２１は、図２（ｂ）に示すように、床に設置される略円環状の下フレーム２１０と、下フレーム２１０の後部上方に位置する左右一対の上フレーム２１１と、下フレーム２１０及び上フレーム２１１を接続する４本の縦フレーム２１２とを備える。
【００２７】
本実施形態では、支持フレーム２１のうち下フレーム２１０の右後部と左後部にそれぞれ、挿通孔６及び固定溝７を備える。下フレーム２１０のうち挿通孔６及び固定溝７が設けられる部位は、側部カバー２４を未装着の状態で外部に対して露出する部位である。本実施形態では、下フレーム２１０のうち挿通孔６及び固定溝７が設けられる部位の真上には、上フレーム２１１や縦フレーム２１２が位置している。なお、本実施形態の便器設置構造では、下フレーム２１０のうち、挿通孔６及び固定溝７が設けられる部位を、下フレーム２１０の他の部位に比べて上下方向に肉厚に形成している。
【００２８】
下フレーム２１０に設けられる左右一対の挿通孔６は、前後方向に長い長孔である。各挿通孔６は、その長手方向が排水口２０の突出方向と平行となるように形成されている。各挿通孔６は、下フレーム２１０を上下に貫通させて設けられる。
【００２９】
挿通孔６の長手方向（前後方向）の溝長さは、排水口２０を排水管３の接続口３０に接続した状態で排水口２０と接続口３０とが重なる前後長さ以上である。また、挿通孔６の短手方向（左右方向）の溝幅は、固定ねじ４の軸部４０の直径よりも僅かに大きい。
【００３０】
本実施形態では、固定ねじ４は、図２（ａ）に示すように、軸部４０の長手方向（上下方向）の一部に鍔部４１を備える。鍔部４１の直径は、軸部４０の長手方向の他の部位よりも大径であり、挿通孔６の短手方向（左右方向）の溝幅よりも大きい。固定ねじ４は、軸部４０の上端に、電動ドライバー等の工具で回すための穴４２を備える。なお、固定ねじ４は、鍔部４１を備えないものであってもよい。
【００３１】
固定ねじ４には、固定部材５とワッシャ９とナット８が取り付けられる。固定部材５とワッシャ９とナット８には、固定ねじ４が挿通される。
【００３２】
固定部材５は、固定溝７に嵌まり込んで前後方向に移動しない形状に設けられる。本実施形態では、固定溝７が平断面円状の溝であるので、固定部材５は、円環状に形成している。そして更に、本実施形態では、図２（ｃ）に示すように、固定部材５はワッシャ９に一体に設けられている。詳しくは、円環状の固定部材５は、円環状のワッシャ９の下面から下方に突出している。ワッシャ９の円中心と固定部材５の円中心は一致している。なお、固定部材５はワッシャ９と一体でなくてもよい。また、固定部材５は、上述した円環状に限らず、固定溝７に嵌まり込んで前後方向に移動しない形状であればよい。
【００３３】
各挿通孔６の長手方向の一部の孔縁に、固定溝７が形成される。固定溝７は、固定ねじ４が挿通された固定部材５が嵌まり込む溝である。固定溝７は、上方に向けて開口する溝である。固定溝７の一部は、平面視にて、挿通孔６の長手方向の一部に重なっている。固定溝７は、便器２の排水口２０が排水管３の接続口３０に差し込まれて接続された位置で、挿通孔６内の固定ねじ４の前後位置を固定するように配置されている。
【００３４】
本実施形態では、各挿通孔６の前端の孔縁に、固定溝７が形成されている。固定溝７は、平面視円状の溝であり（図３（ａ）参照）、その直径は、挿通孔６の溝幅よりも大きい。本実施形態では、固定溝７のうち、固定ねじ４が挿通されない箇所における下フレーム２１０の上面からの溝深さは、挿通孔６の下フレーム２１０の上面からの溝深さよりも浅い。
【００３５】
続いて、上述した本実施形態の便器設置構造の設置手順について説明する。
【００３６】
まず、固定ねじ４を２本、床１に固定する。固定ねじ４は、鍔部４１が床１に接触するように床１に固定させる。このとき、固定ねじ４は、鍔部４１よりも上方の部位が床１から上方に突出させて設けられ、且つ床面に対して真っ直ぐ設けられる。次いで、この床１に固定された各固定ねじ４が支持フレーム２１の左右の挿通孔６にそれぞれ挿通するように、便器２を床１上に載置する。ここで、図３（ａ）に示すように、各固定ねじ４の挿通孔６の後端に固定ねじ４が挿通するように便器２を床１に載置する。なお、便器２は、挿通孔６が外部から確認できるように側部カバー２４を外した状態で、床１に載置する。便器２を床１に載置した状態で、固定ねじ４の鍔部４１上に、下フレーム２１０の下面のうち、挿通孔６の孔縁部位が接触する。
【００３７】
次いで、便器２を後方にスライド移動させて、便器２の排水口２０を、排水管３の接続口３０に差し込んで接続させる。排水口２０が接続口３０に接続した状態で、固定ねじ４は、図３（ｂ）に示すように、挿通孔６の前端に位置する。
【００３８】
次いで、ワッシャ９と一体となった固定部材５を固定ねじ４に取り付けて、図３（ｃ）に示すように、固定ねじ４が貫通した固定部材５を、挿通孔６の孔縁の固定溝７に嵌め込む。このとき、固定溝７に固定部材５が嵌め込まれることで、固定部材５の外周面が固定溝７の内周面に当たって前後方向の移動が規制され、これにより、固定部材５を貫通する固定部材５の前後位置が固定される。
【００３９】
次いで、図３（ｄ）に示すように、固定ねじ４にナット８を取り付けて、ナット８を締め付ける。このとき、ナット８によって固定部材５は固定溝７に対して押さえ付けられる。次いで、側部カバー２４を便器２に取り付ける。
【００４０】
以上のようにして設置される本実施形態の便器設置構造では、床１に便器２を載置する前に、床１に固定ねじ４を打ち込んで固定することができる。そのため、床１に固定ねじ４を打ち込むときに、便器２が邪魔にならず、固定ねじ４を床１に対して真っ直ぐ打ち込むことができる。そして、床１に固定した固定ねじ４が便器２の挿通孔６を挿通した状態で、便器２を後方にスライドさせて、便器２の排水口２０を排水管３の接続口３０に差し込んで接続することができる。そして、固定ねじ４に固定部材５を取り付けて、固定ねじ４が貫通された固定部材５を固定溝７に嵌め込むことで、便器２を床１に対して固定することができる。
【００４１】
したがって、本実施形態の便器設置構造は、床１に沿って便器２をスライドさせて排水管３に差し込んで接続させ、この状態で便器２を床１に固定する便器設置構造において、床１に真っ直ぐ打ち込んだ固定ねじ４を用いて、便器２を床１に固定することができる。これにより、床１への便器２の固定を堅固に行うことができる。
【００４２】
また、本実施形態の便器設置構造では、固定部材５をワッシャ９と一体に設けたことで、固定部材５をワッシャ９とは別に固定ねじ４に取り付けるといった施工を省略できて、施工性の向上したものとなっている。
【００４３】
また、本実施形態の便器設置構造では、固定溝７に嵌め込んだ固定部材５をナット８で固定溝７に対して押さえ付けることで、固定部材５が固定溝７から抜け出すことを抑制できる。これにより、便器２に座ったり便座から立ち上がったりするとき等にかかる外力によって、固定部材５が固定溝７から外れてしまうことを抑制できる。
【００４４】
また、本実施形態の便器設置構造では、便器２の排水口２０が排水管３の接続口３０に接続された状態で、固定ねじ４が挿通孔４の前端に位置するようにしたことで、固定部材５だけでなく、挿通孔４の孔縁によっても固定ねじ４の前方への移動を規制することができる。
【００４５】
また、本実施形態の便器設置構造では、固定ねじ４に鍔部４１を備えるようにしたことで、鍔部４１とワッシャ９とで下フレーム２１０を上下から挟み込むことができ、これにより、固定ねじ４の便器２への固定がより確実になされる。なお、固定ねじ４は鍔部４１を備えなくてもよく、その場合、固定ねじ４に取り付けたナット８によって、支持フレーム２１の下フレーム２１０を床１に押し当てることができる。
【００４６】
続いて、図４に示す本発明の第二実施形態の便器設置構造について説明する。なお、第二実施形態の構成のうち、既述した第一実施形態と同様の構成については、図中に同一符号を付して詳しい説明を省略する。
【００４７】
第二実施形態の便器設置構造では、固定部材５は、固定ねじ４が挿通されるナット８である。第二実施形態の便器設置構造では、固定ねじ４には、ワッシャ９が取り付けられずに、ナット８だけが取り付けられる。そして、固定溝７は、平面視円状であり、その直径は、ナット８の最大幅と同じかそれより僅かに大きい。ナット８は、例えば六角ナットである。なお、ナット８は、その他の形状であってもよい。
【００４８】
第二実施形態の便器設置構造では、ナット８は固定溝７内までねじ締めすることができる。ナット８を溝内に位置させることで、ナット８は固定溝７内での前後方向の移動が規制されて、ナット８を貫通する固定ねじ４の前後位置が固定される。これにより、便器２は床１に対して固定される。
【００４９】
以上説明した第二実施形態の便器設置構造では、固定ねじ４に取り付けられるナット８を固定部材５として利用することができる。そのため、ナット８とは別に固定部材５を形成する必要がなくて、製造コストを抑えることができる。
【００５０】
続いて、本発明の第三実施形態の便器設置構造について説明する。図５には、第三実施形態の便器設置構造の便器２が示されている。第三実施形態の構成のうち、既述した第一実施形態と同様の構成については、図中に同一符号を付して詳しい説明を省略する。
【００５１】
第三実施形態の便器設置構造の便器２は、便器本体２２が陶器製であり、便器本体２２の後部に、後方に向けて突出するとともに後方に向けて開口する排水口２０を備える。便器本体２２は、第一実施形態のように、支持フレーム２１によって支持されるものではない。
【００５２】
便器本体２２には、底部位の右後部と左後部にそれぞれフランジ２８を備える。フランジ２８は、便器本体２２の右後部と左後部をそれぞれ便器内側に凹ませることで形成したものである。フランジ２８は、板状であり、床１に載せられる。このフランジ２８に、挿通孔６及び固定溝７を備える。
【００５３】
このように陶器製の便器２であっても、フランジ２８に挿通孔６及び固定溝７を設けることで、床１に便器２を載置する前に、床１に固定ねじ４を打ち込んで固定することができる。そのため、床１に固定ねじ４を打ち込むときに、便器２が邪魔にならず、固定ねじ４を床１に対して真っ直ぐ打ち込むことができる。そして、床１に固定した固定ねじ４が便器２の挿通孔６を挿通した状態で、便器２を後方にスライドさせて、便器２の排水口２０を排水管３の接続口３０に差し込んで接続することができる。このように、第三実施形態の便器設置構造でも、床１に真っ直ぐ打ち込んだ固定ねじ４を用いて、便器２を床１に固定することができる。これにより、床１への便器２の固定を堅固に行うことができる。
【００５４】
なお、第一及び第三実施形態の便器設置構造では、固定溝７を平面視円状に設けた例について説明したが、固定溝７は例えば平面視矩形状であってもよいし、その他の平面視多角形状であってもよい。
【００５５】
また、第一乃至第三実施形態の便器設置構造では、固定溝７は溝底面を有する例について説明したが、固定溝７は上下に貫通する孔であってもよい。つまり、挿通孔６によって固定位置での固定ねじ４の左右移動を規制するのではなく、固定部材５によって固定ねじ４の前後左右の移動を規制するようにしてもよい。また、固定溝７は、下フレーム２１０（フランジ２８）から上方に向けて突出する環状の溝壁で囲まれて形成される溝であってもよい。
【００５６】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５７】
１      床
２      便器
３      排水管
４      固定ねじ
５      固定部材
６      挿通孔
７      固定溝
８      ナット
９      ワッシャ
２０    排水口
【図１】
2014173390.tif 000003
【図２】
2014173390.tif 000004
【図３】
2014173390.tif 000005
【図４】
2014173390.tif 000006
【図５】
2014173390.tif 000007